(57)【特許請求の範囲】
【請求項１】
画像の階調を補正するための階調補正曲線の評価結果を表示する階調補正曲線評価結果表示方法において、
複数の色における各単色ごとの複数の単色濃度パッチと、これらの単色を重ね合わせたグレーの、複数のグレー濃度パッチをカラープリンタに出力するパッチ出力過程、
前記複数の単色濃度パッチの濃度を測定するとともに、前記複数のグレー濃度パッチを測色する測定測色過程、
前記測定測色過程で測定した濃度パッチの濃度値および測色したグレー濃度パッチの測色値をコンピュータに入力するデータ入力過程、
前記コンピュータ入力された濃度値および測色値を所定の操作画像と共に該コンピュータの表示画面に表示する画面表示課程、
前記複数の単色濃度パッチの濃度測定により得られる各単色ごとの濃度値と各単色ごとの所定の標準濃度値との間の偏差からなる第１の評価結果と、前記複数のグレー濃度パッチの測色により得られる色度値と所定の標準色度値との間の偏差からなる第２の評価結果との双方を求める評価結果算出過程、
前記所定の操作画像の操作により、前記第１の評価結果と前記第２の評価結果との間の重みを指定する重み指定過程、
前記標準濃度値および前記標準測色値に基づいて予め記憶されていた階調補正標準曲線を、前記第１の評価結果と前記第２の評価結果と前記重み指定過程で得られた重みとに基づいて補正して前記カラープリンタに適合した階調補正曲線を作成する階調補正曲線作成過程、
前記階調補正曲線作成過程で作成された階調補正曲線データを格納する格納過程、および
前記所定の操作画像の確認操作によって、前記評価結果算出過程で求められた前記第１の評価結果と前記第２の評価結果との双方を表示する評価結果表示過程を有することを特徴とする階調補正曲線評価結果表示方法。
【請求項２】
前記評価結果表示過程は、前記第１の評価結果と前記第２の評価結果を、数値及び／又はグラフで表示する過程であることを特徴とする請求項１記載の階調補正曲線評価結果表示方法。
【請求項３】
前記評価結果算出過程が、前記複数の単色濃度パッチの濃度測定により得られる各単色ごとの濃度値と各単色ごとの前記標準濃度値との間の偏差の最大値からなる第１の評価結果と、前記複数のグレー濃度パッチの測色により得られる色度値と所定の標準色度値との間の偏差の最大値からなる第２の評価結果とを、前記重み指定過程で指定された重みを用いて統合することにより第３の評価結果を求める過程であり、
前記評価結果表示過程が、前記所定の操作画像の確認操作によって、前記第１の評価結果と前記第２の評価結果とに加え、さらに、前記第３の評価結果を表示する過程であることを特徴とする請求項１記載の階調補正曲線評価結果表示方法。
【請求項４】
画像の階調を補正するための階調補正曲線の評価結果を表示する階調補正曲線評価結果表示装置において、
複数の色における各単色ごとの複数の単色濃度パッチを表す単色パッチデータと、これらの単色を重ね合わせたグレーの、複数のグレー濃度パッチを表すグレーパッチデータとを生成し、カラープリンタに入力するパッチデータ生成入力部、
前記パッチデータ生成入力部で生成された単色パッチデータに基づいて前記カラープリンタから出力された複数の単色濃度パッチの濃度測定データを取得すると共に、前記パッチデータ生成入力部で生成されたグレーパッチデータに基づいて該カラープリンタから出力された複数のグレー濃度パッチの測色データを取得するデータ取得部、
前記データ取得部で取得した濃度値および測色値を所定の操作画像と共に画面表示する画面表示部、
前記複数の単色濃度パッチの濃度測定により得られる各単色ごとの濃度値と各単色ごとの所定の標準濃度値との間の偏差からなる第１の評価結果と、前記複数のグレー濃度パッチの測色により得られる色度値と所定の標準色度値との間の偏差からなる第２の評価結果との双方を求める評価結果算出部、
前記所定の操作画像の操作に基づいて、前記第１の評価結果と前記第２の評価結果との間の重みを決定する重み決定部、
前記標準濃度値および前記標準測色値に基づいて予め記憶されていた階調補正標準曲線を、前記第１の評価結果と前記第２の評価結果と前記重み指定過程で得られた重みとに基づいて補正して前記カラープリンタに適合した階調補正曲線を作成する階調補正曲線作成部、
前記階調補正曲線作成部で作成された階調補正曲線の曲線データを格納する格納部、および
前記所定の操作画像の確認操作を受けて、前記評価結果算出部で求められた前記第１の評価結果と前記第２の評価結果との双方を表示する評価結果表示部を有することを特徴とする階調補正曲線評価結果表示装置。
【請求項５】
コンピュータ内で実行され、該コンピュータを画像の階調を補正するための階調補正曲線の評価結果を表示する階調補正曲線評価結果表示装置として動作させる階調補正曲線評価結果表示プログラムにおいて、
複数の色における各単色ごとの複数の単色濃度パッチを表わす単色パッチデータと、これらの単色を重ね合わせたグレーの、複数のグレー濃度パッチを表わすグレーパッチデータとを生成し、カラープリンタに入力するパッチデータ生成入力部、
前記パッチデータ生成入力部で生成された単色パッチデータに基づいて前記カラープリンタから出力された複数の単色濃度パッチの濃度測定データを取得すると共に、前記パッチデータ生成入力部で生成されたグレーパッチデータに基づいて該カラープリンタから出力された複数のグレー濃度パッチの測色データを取得するデータ取得部、
前記データ取得部で取得した濃度値および測色値を所定の操作画像と共に画面表示する画面表示部、
前記複数の単色濃度パッチの濃度測定により得られる各単色ごとの濃度値と各単色ごとの所定の標準濃度値との間の偏差からなる第１の評価結果と、前記複数のグレー濃度パッチの測色により得られる色度値と所定の標準色度値との間の偏差からなる第２の評価結果との双方を求める評価結果算出部、
前記所定の操作画像の操作に基づいて、前記第１の評価結果と前記第２の評価結果との間の重みを決定する重み決定部、
前記標準濃度値および前記標準測色値に基づいて予め記憶されていた階調補正標準曲線を、前記第１の評価結果と前記第２の評価結果と前記重み指定過程で得られた重みとに基づいて補正して前記カラープリンタに適合した階調補正曲線を作成する階調補正曲線作成部、
前記階調補正曲線作成部で作成された階調補正曲線の曲線データを格納する格納部、および
前記所定の操作画像の確認操作を受けて、前記評価結果算出部で求められた前記第１の評価結果と前記第２の評価結果との双方を表示する評価結果表示部を有する階調補正曲線評価結果表示プログラム。
【発明の詳細な説明】
【０００１】
【発明の属する技術分野】
本発明は、画像の階調を補正するための階調補正曲線の評価結果を表示する階調補正曲線評価結果表示方法および階調補正曲線評価結果表示装置、並びに、コンピュータ内で実行されそのコンピュータを階調補正曲線評価結果表示装置として動作させる階調補正曲線評価結果表示プログラムを記憶してなる階調補正曲線評価結果表示プログラム記憶媒体に関する。
【０００２】
【従来の技術】
従来より、パーソナルコンピュータ等に画像データを取り込んで画像データ上で画像の編集を行ない、そのような編集の行われた画像データを、カラープリンタ等、画像を出力しようとする画像出力装置の特性に合わせて色変換を行ない、さらに階調補正等を行なって、その画像出力装置に向けて出力し、その画像出力装置で所望の画像を出力することが行なわれている。
【０００３】
パーソナルコンピュータ等では上記のような様々な処理が行なわれるが、そのうちの階調補正処理においては、例えばＣ（シアン）、Ｍ（マゼンタ）、Ｙ（イエロー）、およびＫ（黒）の各単色ごとに、ＬＵＴ（ルックアップテーブル）等の形式で階調補正曲線を定義しておき、ＣＭＹＫの各画像データを各階調補正曲線に基づいて変換するという処理が行なわれる。
【０００４】
ここで、階調補正曲線を作成するにあたっては、パーソナルコンピュータ等で、Ｃ，Ｍ，Ｙ，Ｋのそれぞれについて複数の濃度パッチからなるカラーチャートを表わす画像データを生成し、その画像データをカラープリンタ等の画像出力装置に送ってカラーチャートを出力し、その出力されたカラーチャートを構成するＣ，Ｍ，Ｙ，Ｋそれぞれの濃度パッチの濃度を測定する。このようにして得た濃度パッチの濃度測定結果と、その濃度パッチを生成したときの画像データの値とを対応づけることにより、階調補正曲線を作成することができる。
【０００５】
従来、そのようにして作成された階調補正曲線の階調再現精度等を評価するにあたっては、階調補正曲線を作成したときと同様に、そのようにして作成された階調補正曲線を用いて画像データに階調補正処理を施し、その階調補正処理後の画像データに基づいてカラーチャートを出力し、そのカラーチャートを構成する濃度パッチの濃度を測定し、その濃度測定値をマレイ・デービスの式に従って網％値に変換し、これにより得られた網％値（測定網％値）と、あらかじめ定められた目標とする網％値（目標網％値）との差異を評価値として求めてその評価値を表示し、オペレータは、その表示された評価値に従って作成した階調補正曲線が十分な精度を持ったものであるかあるいはさらに微調整する必要があるかといった評価を行なっていた。
【０００６】
【発明が解決しようとする課題】
ところが、上述の従来の表示法では、網％に関するデータについては表示されるため網％の調整には向いているが、網％をいかに正確に調整してもそれのみでは不十分であり、色度値の再現性についても正確に調整する必要がある。
【０００７】
従来は、この色度値の評価結果は得られず、したがって色度値については表示もなされないため、網％に関する表示データを統合的に判断することによって、色度値の再現性を含め階調補正曲線の精度を評価していた。
【０００８】
ところが、このような評価方法の場合、正確な評価を行なうにはかなりの経験を必要とし、しかも不正確な評価となってしまうおそれもあり、結局、最終的に高精度の階調補正曲線を得るまでに多大な時間と手間が必要となるおそれがある。
【０００９】
本発明は、上記事情に鑑み、階調補正曲線の評価を容易にするための階調補正曲線評価結果表示方法、階調補正曲線評価結果表示装置、およびコンピュータをそのような階調補正曲線評価結果表示装置として動作させるための階調補正曲線評価結果表示プログラムが記憶されてなる階調補正曲線評価結果表示プログラム記憶媒体を提供することを目的とする。
【００１０】
【課題を解決するための手段】
上記目的を達成する本発明の階調補正曲線評価結果表示方法のうちの第１の階調補正曲線評価結果表示方法は、画像の階調を補正するための階調補正曲線の評価結果を表示する階調補正曲線評価結果表示方法において、
各単色ごとの複数の単色濃度パッチと、これらの単色を重ね合わせたグレーの、複数のグレー濃度パッチを出力するパッチ出力過程と、
複数の単色濃度パッチの濃度を測定するとともに、複数のグレー濃度パッチを測色する測定測色過程と、
複数の単色濃度パッチの濃度測定により得られる濃度値から求められる、階調補正曲線の第１の評価結果と、複数のグレー濃度パッチの測色により得られる色度値から求められる、階調補正曲線の第２の評価結果との双方を求める評価結果算出過程と、
評価結果算出過程で求められた第１の評価結果と第２の評価結果との双方を表示する評価結果表示過程とを有することを特徴とする。
【００１１】
本発明の階調補正曲線評価結果表示方法は、例えば、Ｃ，Ｍ，Ｙの単色濃度パッチの濃度を測定してその濃度測定により得られる濃度値に基づく階調補正曲線の評価結果（濃度値直接、あるいは濃度値を変換することにより求められる網％値による評価結果）と、ＣＭＹの重色からなるグレーの濃度パッチを測色しその測色により求められる色度値から得られる、階調補正曲線の評価結果（色度値による評価結果）との双方を求めて、それら双方の評価結果を表示するものであるため、濃度値あるいは網％による評価結果と色度値による評価結果との双方を参照しながら適切に評価を行ない、適切な判断を下すことができ、高精度な階調補正曲線を短時間にかつ容易に作成することにつなげることができる。
【００１２】
ここで、上記本発明の第１の階調補正曲線評価結果表示方法において、上記評価結果表示過程は、上記第１の評価結果と第２の評価結果を、数値及び／又はグラフで表示する過程であってもよい。
【００１３】
また、上記本発明の第１の階調補正曲線評価結果表示方法において、評価結果算出過程は、上記第１の評価結果として、複数の単色濃度パッチの濃度測定により得られる各単色ごとの濃度値と各単色ごとの所定の標準濃度値との間の偏差を求めるとともに、上記第２の評価結果として、複数のグレー濃度パッチの測色により得られる色度値と所定の標準色度値との間の偏差を求める過程であることが好ましい。
【００１４】
あらかじめ標準的な値（標準濃度値および標準色度値）を用意しておき、それら標準濃度値や標準色度値からの各偏差を評価結果とすることで適切な評価を行なうことができる。
【００１５】
また、上記目的を達成する本発明の階調補正曲線評価結果表示方法のうちの第２の階調補正曲線評価結果表示方法は、画像の階調を補正するための階調補正曲線の評価結果を表示する階調補正曲線評価結果表示方法において、
各単色ごとの複数の単色濃度パッチと、これらの単色を重ね合わせたグレーの、複数のグレー濃度パッチを出力するパッチ出力過程と、
複数の単色濃度パッチの濃度を測定するとともに、複数のグレー濃度パッチを測色する測定測色過程と、
複数の単色濃度パッチの濃度測定により得られる濃度値から求められる、階調補正曲線の第１の評価結果と、複数のグレー濃度パッチの測色により得られる色度値から求められる、階調補正曲線の第２の評価結果との双方が結合された第３の評価結果を求める評価結果算出過程と、
評価結果算出過程で求められた第３の評価結果を表示する評価結果表示過程とを有することを特徴とする。
【００１６】
本発明の階調補正曲線評価結果表示方法は、上記第１の階調補正曲線評価結果表示方法が第１の評価結果（濃度値あるいは網％値による評価結果）と第２の評価結果（色度値による評価結果）との双方を表示するものであることに代わり、それら第１の評価結果（濃度値あるいは網％値による評価結果）と第２の評価結果（色度値による評価結果）とが統合された第３の評価結果を求めて表示するものであり、そこに表示された第３の評価結果には第１の評価結果（濃度値あるいは網％値による評価結果）と第２の評価結果（色度値による評価結果）との双方の情報が含まれており、第１の評価結果と第２の評価結果との双方に代わる、第３の評価結果という少ない情報で、適切な評価、判断が可能となる。
【００１７】
ここで、上記本発明の第２の階調補正曲線評価結果表示方法において、上記評価結果算出過程は、上記第１の評価結果として、複数の単色濃度パッチの濃度測定により得られる各単色ごとの濃度値と各単色ごとの所定の標準濃度値との間の偏差の最大値を採用するとともに、上記第２の評価結果として、複数のグレー濃度パッチの測色により得られる色度値と所定の標準色度値との間の偏差の最大値を採用し、これら双方の最大値に基づいて、上記第３の評価結果としての評価値を求める過程であることが好ましく、その場合に、上記第１の評価結果と上記第２の評価結果との間の重みを指定する重み指定過程を有し、上記評価結果算出過程は、重み指定過程で指定された重みを用いて、双方の最大値を統合することにより、第３の評価結果としての評価値を求める過程であることが好ましい。
【００１８】
上記のように、濃度値あるいは網％値による偏差の最大値との色度値による偏差の最大値との双方に基づいて（例えば重みを指定してその重みで重み付け平均すること等により）、第３の評価結果としての評価値を求めると、濃度値あるいは網％値と色度値との双方を考慮しつつ、標準的な値からの最大偏差を指標する評価値を得ることができ、適切な判断に役立てることができる。
【００１９】
また、上記目的を達成する本発明の階調補正曲線評価結果表示装置のうちの第１の階調補正曲線評価結果表示装置は、画像の階調を補正するための階調補正曲線の評価結果を表示する階調補正曲線評価結果表示装置において、
各単色ごとの複数の単色濃度パッチを表わす単色パッチデータと、これらの単色を重ね合わせたグレーの、複数のグレー濃度パッチを表わすグレーパッチデータとを生成するパッチデータ生成部と、
パッチデータ生成部で生成された単色パッチデータに基づいて出力された複数の単色濃度パッチの濃度測定データを取得するとともに、パッチデータ生成部で生成されたグレーパッチデータに基づいて出力された複数のグレー濃度パッチの測色データを取得し、濃度測定データから求められる、階調補正曲線の第１の評価結果と、測色データから求められる、階調補正測定曲線の第２の評価結果との双方を求める評価結果算出部と、
評価結果算出部で求められた第１の評価結果と第２の評価結果との双方を表示する評価結果表示部とを備えたことを特徴とする。
【００２０】
また、上記目的を達成する本発明の階調補正曲線評価結果表示装置のうちの第２の階調補正曲線評価結果表示装置は、画像の階調を補正するための階調補正曲線の評価結果を表示する階調補正曲線評価結果表示装置において、
各単色ごとの複数の単色濃度パッチを表わす単色パッチデータと、これらの単色を重ね合わせたグレーの、複数のグレー濃度パッチを表わすグレーパッチデータとを生成するパッチデータ生成部と、
パッチデータ生成部で生成された単色パッチデータに基づいて出力された複数の単色濃度パッチの濃度測定データを取得するとともに、パッチデータ生成部で生成されたグレーパッチデータに基づいて出力された複数のグレー濃度パッチの測色データを取得し、濃度測定データから求められる、階調補正曲線の第１の評価結果と、測色データから求められる、階調測定曲線の第２の評価結果との双方が統合された第３の評価結果を求める評価結果算出部と、
評価結果算出部で求められた第３の評価結果を表示する評価結果表示部とを備えたことを特徴とする。
【００２１】
ここで、上記本発明の第１の階調補正曲線評価結果表示装置および第２の階調補正曲線評価結果表示装置は、それぞれ、上述の第１の階調補正曲線評価結果表示方法および第２の階調補正曲線評価結果表示方法に対応するものであり、これら第１の階調補正曲線評価結果表示装置および第２の階調補正曲線評価結果表示装置には、例えば標準的な値を記憶しておいてその標準的な値からの偏差を評価結果とする点や、第２の階調補正曲線評価結果表示装置において偏差の最大どうしを統合する点など、その性質に反しない限り、それぞれ、上述の第１の階調補正曲線評価結果表示方法および第２の階調補正曲線評価結果表示方法の各種の態様が全て含まれる。
【００２２】
また、上記目的を達成する本発明の階調補正曲線評価結果表示プログラム記憶媒体のうちの第１の階調補正曲線評価結果表示プログラム記憶媒体は、コンピュータ内で実行され、そのコンピュータを画像の階調を補正するための階調補正曲線の評価結果を表示する階調補正曲線評価結果表示装置として動作させる階調補正曲線評価結果表示プログラムが記憶されてなる階調補正曲線評価結果表示プログラム記憶媒体において、
各単色ごとの複数の単色濃度パッチを表わす単色パッチデータと、これらの単色を重ね合わせたグレーの、複数のグレー濃度パッチを表わすグレーパッチデータとを生成するパッチデータ生成部と、
パッチデータ生成部で生成された単色パッチデータに基づいて出力された複数の単色濃度パッチの濃度測定データを取得するとともに、パッチデータ生成部で生成されたグレーパッチデータに基づいて出力された複数のグレー濃度パッチの測色データを取得し、濃度測定データから求められる、階調補正曲線の第１の評価結果と、測色データから求められる、階調補正測定曲線の第２の評価結果との双方を求める評価結果算出部と、
評価結果算出部で求められた第１の評価結果と第２の評価結果との双方を表示する評価結果表示部とを有する階調補正曲線評価結果表示プログラムが記憶されてなることを特徴とする。
【００２３】
さらに、上記目的を達成する本発明の階調補正曲線評価結果表示プログラム記憶媒体のうちの第２の階調補正曲線評価結果表示プログラム記憶媒体は、コンピュータ内で実行され、そのコンピュータを画像の階調を補正するための階調補正曲線の評価結果を表示する階調補正曲線評価結果表示装置として動作させる階調補正曲線評価結果表示プログラムが記憶されてなる階調補正曲線評価結果表示プログラム記憶媒体において、
各単色ごとの複数の単色濃度パッチを表わす単色パッチデータと、これらの単色を重ね合わせたグレーの、複数のグレー濃度パッチを表わすグレーパッチデータとを生成するパッチデータ生成部と、
パッチデータ生成部で生成された単色パッチデータに基づいて出力された複数の単色濃度パッチの濃度測定データを取得するとともに、パッチデータ生成部で生成されたグレーパッチデータに基づいて出力された複数のグレー濃度パッチの測色データを取得し、濃度測定データから求められる、階調補正曲線の第１の評価結果と、測色データから求められる、階調補正測定曲線の第２の評価結果との双方が統合された第３の評価結果を求める評価結果算出部と、
評価結果算出部で求められた第３の評価結果を表示する評価結果表示部とを有する階調補正曲線評価結果表示プログラムが記憶されてなることを特徴とする。
【００２４】
これらの第１の階調補正曲線評価結果表示プログラム記憶媒体および第２の階調補正曲線評価結果表示プログラム記憶媒体においても、その性質に反しない限り、それぞれ、上述の本発明の第１の階調補正曲線評価結果表示方法および第２の階調補正曲線評価結果表示方法の各種態様が含まれる。
【００２５】
【発明の実施の形態】
以下、本発明の実施形態について説明する。
【００２６】
図１は、本発明の一実施形態が適用された画像入力−色変換−画像出力システムの全体構成図である。
【００２７】
ここには、カラースキャナ１０が示されており、そのカラースキャナ１０では原稿画像１１が読み取られてＣ（シアン）、Ｍ（マゼンタ）、およびＹ（イエロー）からなる３色の画像データが生成される。このＣＭＹの画像データはパーソナルコンピュータ２０に入力される。このパーソナルコンピュータ２０では、カラースキャナ１０で得られた画像データが、後述するカラープリンタ３０に適した画像出力用の画像データに変換される。この画像出力用の画像データは、カラープリンタ３０に入力され、そのカラープリンタ３０では、入力された画像データに基づくプリント出力が行なわれて、プリント画像３１が形成される。
【００２８】
この図１に示すシステムでは画像データに基づく画像を出力する画像出力装置の一例としてカラープリンタ３０を示したが、このカラープリンタ３０は、電子写真方式のカラープリンタであってもよく、インクジェット方式のカラープリンタであってもよく、変調されたレーザ光で印画紙を露光してその印画紙を現像する方式のプリンタであってもよく、そのプリント方式の如何を問うものではない。また、画像出力装置としては、プリンタに限定されるものではなく、印刷機であってもよく、あるいは表示画面上に画像を表示出力するＣＲＴディスプレイ装置、プラズマディスプレイ装置等の画像表示装置であってもよい。
【００２９】
ただし、ここでは、画像出力装置の一例としてカラープリンタ３０を備えたシステムを前提として説明する。
【００３０】
ここで、この図１に示すシステムにおける、本発明の一実施形態としての特徴は、パーソナルコンピュータ２０の内部で実行される処理内容にあり、以下、このパーソナルコンピュータ２０について説明する。
【００３１】
図２は、図１に１つのブロックで示すパーソナルコンピュータ２０の外観斜視図、図３は、そのパーソナルコンピュータ２０のハードウェア構成図である。
【００３２】
このパーソナルコンピュータ２０は、外観構成上、本体装置２１、その本体装置２１からの指示に応じて表示画面２２ａ上に画像を表示する画像表示装置２２、本体装置２１に、キー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フロッピィディスクを装填するためのフロッピィディスク装填口２１ａ、およびＣＤ−ＲＯＭを装填するためのＣＤ−ＲＯＭ装填口２１ｂを有する。
【００３３】
本体装置２１の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、フロッピィディスク１００が装填されその装填されたフロッピィディスク１００をアクセスするＦＤドライブ２１４、ＣＤ−ＲＯＭ１１０が装填され、その装填されたＣＤ−ＲＯＭ１１０をアクセスするＣＤ−ＲＯＭドライブ２１５、カラースキャナ１０（図１参照）と接続され、カラースキャナ１０から画像データを受け取る入力インタフェース２１６、カラープリンタ３０に画像データを送る出力インタフェース２１７が内蔵されており、これらの各種要素と、さらに図２にも示す画像表示装置２２、キーボード２３、マウス２４は、バス２５を介して相互に接続されている。
【００３４】
ここで、ＣＤ−ＲＯＭ１１０には、このパーソナルコンピュータ２０を階調補正曲線評価結果表示装置として動作させるための階調補正曲線評価結果表示プログラムが記憶されており、そのＣＤ−ＲＯＭ１１０はＣＤ−ＲＯＭドライブ２１５に装填され、そのＣＤ−ＲＯＭ１１０に記憶された階調補正曲線評価結果表示プログラムがこのパーソナルコンピュータ２０にアップロードされてハードディスク装置２１３に記憶される。
【００３５】
図４は、本発明の階調補正曲線評価結果表示プログラム記憶媒体の第１実施形態を示した図である。この階調補正曲線評価結果表示プログラム記憶媒体は、図３に示すＣＤ−ＲＯＭ１１０、ハードディスク装置２１３内のハードディスク等の記憶媒体を代表させて示したものである。
【００３６】
この階調補正曲線評価結果表示プログラム記憶媒体３００には、パッチデータ生成部３１１と、評価結果算出部３１２と、評価結果表示部３１３とから構成される階調補正曲線評価結果表示プログラム３１０が記憶されている。この階調補正曲線評価結果表示プログラム３１０の各部の作用については後述する。
【００３７】
図５は、本発明の階調補正曲線評価結果表示プログラム記憶媒体の第２実施形態を示した図である。この階調補正曲線評価結果表示プログラム記憶媒体も、図３に示すＣＤ−ＲＯＭ１１０、ハードディスク装置２１３内のハードディスク等の記憶媒体を代表させて示したものである。
【００３８】
この階調補正曲線評価結果表示プログラム記憶媒体４００には、パッチデータ生成部４１１と、評価結果算出部４１２と、評価結果表示部４１３と、重み指定部４１４とから構成される階調補正曲線評価結果表示プログラム４１０が記憶されている。この階調補正曲線評価結果表示プログラムの各部の作用についても後の説明に譲る。
【００３９】
これら図４あるいは図５に示す階調補正曲線評価結果表示プログラム記憶媒体３００，４００に記憶された階調補正曲線評価結果表示プログラム３１０，４１０のいずれかが図３に示すＣＤ−ＲＯＭ１１０に記憶されているときは、そのＣＤ−ＲＯＭ１１０が本発明の階調補正曲線評価結果表示プログラム記憶媒体の一例に相当し、そのＣＤ−ＲＯＭ１１０に格納された階調補正曲線評価結果表示プログラムがパーソナルコンピュータ２０にローディングされてハードディスク装置２１３に格納されたときは、その階調補正曲線評価結果表示プログラムが格納された状態にあるハードディスクが本発明の階調補正曲線評価結果表示プログラム記憶媒体の一例に相当し、さらに、そのハードディスク内の階調補正曲線評価結果表示プログラムが図３に示すフロッピィディスク１００にダウンロードされると、その階調補正曲線評価結果表示プログラムを記憶した状態にあるフロッピィディスクも本発明の階調補正曲線評価結果表示プログラム記憶媒体の一例に相当する。
【００４０】
図６は、本発明の階調補正曲線評価結果表示装置の第１実施形態の機能ブロック図である。
【００４１】
この図６に示す階調補正曲線評価結果表示装置５００は、パーソナルコンピュータ２０に、図４に示す、階調補正曲線評価結果表示プログラム３１０がローディングされ、そのパーソナルコンピュータ２０内でその階調補正曲線評価結果表示プログラム３１０が実行されることにより実現される。
【００４２】
この図６に示す階調補正曲線評価結果表示装置５００は、パッチデータ生成部５１０と、評価結果算出部５２０と、評価結果表示部５３０とから構成されている。
【００４３】
この図６に示す階調補正曲線評価結果表示装置５００におけるパッチデータ生成部５１０と、評価結果算出部５２０、および評価結果表示部５３０は、それぞれ、図４に示すソフトウェア部品としてのパッチデータ生成部３１０、評価結果算出部３２０、および評価結果表示部３３０と、各部の機能を実現するために必要な、パーソナルコンピュータ２０のハードウェアやＯＳ（オペレーションシステム）等との組合せから構成されている。
【００４４】
また、図７は、本発明の階調補正曲線評価結果表示装置の第２実施形態の機能ブロック図である。この図７に示す階調補正曲線評価結果表示装置６００は、パーソナルコンピュータ２０に、図５に示す階調補正曲線評価結果表示プログラム４１０がローディングされ、そのパーソナルコンピュータ２０内でその階調補正曲線評価結果表示プログラム４１０が実行されることにより実現される。
【００４５】
この図７に示す階調補正曲線評価結果表示装置６００は、パッチデータ生成部６１０と、評価結果算出部６２０と、評価結果表示部６３０と、重み指定部６４０とから構成されている。
【００４６】
この図７に示す階調補正曲線評価結果表示装置６００においても、図６に示す階調補正曲線評価結果表示装置５００の場合と同様、パッチデータ生成部６１０、評価結果算出部６２０、評価結果表示部６３０、および重み指定部６４０は、それぞれ、図５に示すソフトウェア部品としてのパッチデータ生成部４１０、評価結果算出部４２０、評価結果表示部４３０、および重み指定部４４０と、各部の機能を実現するために必要な、パーソナルコンピュータ２０のハードウェアやＯＳ（オペレーションシステム）等との組合せから構成されている。
【００４７】
図８，図９は、それぞれ、図６，図７に示す階調補正曲線評価結果表示装置５００，６００を使って階調補正曲線を評価しその評価結果を表示する階調補正曲線評価結果表示方法のフローチャートである。また、図１０は、図８，図９に示す各フローチャートを一緒にして模式的に示したフローチャートである。
【００４８】
以下、図１０のフローチャートの説明を行なっていく中で、図８，図９のフローチャートの各ステップ、および図６，図７に示す階調補正曲線評価結果表示装置５００，６００の各部（すなわち図４，図５に示す階調補正曲線評価結果表示プログラム３００，４００の各部）の説明を行なう。
【００４９】
先ず、図１０のステップ（ｃ１）においてカラーチャートの出力が行なわれる。これは、図８，図９のパッチ出力過程（ステップ（ａ１），ステップ（ｂ１））に相当する。このステップでは、図６，図７のパッチデータ生成部５１０，６１０が動作してパッチデータが生成され，そのパッチデータに基づくパッチが並んだカラーチャートが出力される。すなわち、図６，図７に示す階調補正曲線評価結果表示装置５００，６００のパッチデータ生成部５１０，６１０ではＣＭＹ各単色ごとの複数の単色濃度パッチを表わす単色パッチデータと、これらＣＭＹの単色を重ね合わせたグレーの、複数のグレー濃度パッチを表わすグレーパッチデータが生成される。また、本実施形態では、Ｃ，Ｍ，Ｙの各単色のほか、Ｋ（黒）についての単色濃度パッチを表わす単色パッチデータも生成される。
【００５０】
これら生成されたパッチデータは、図１に示すカラープリンタ３０に送られ、カラープリンタ３０ではその送られてきたパッチデータに基づいて多数のパッチが並んだカラーチャートが出力される。
【００５１】
図１１はカラーチャートの一例を示す図である。
【００５２】
ここには、Ｃ，Ｍ，Ｙ，Ｋの各単色について２１ステップの濃度パッチが形成されるとともに、Ｃ，Ｍ，Ｙの重色としてのグレーについて１３ステップの濃度パッチが形成されている。
【００５３】
次に，図１０のステップ（ｃ２）においてカラーチャートの測定が行なわれる。この図１０のステップ（ｃ２）は、図８，図９の測定測色過程（ステップ（ａ２），ステップ（ｂ２））に相当する。
【００５４】
この測定自身は、図６，図７の階調補正曲線評価結果表示装置５００，６００から離れ、オペレータが、例えば濃度測定モード付きの測色計等を用いて行なう作業である。
【００５５】
ここでは、図１１に示すカラーチャートのうちのＣ，Ｍ，Ｙ，Ｋの各単色のパッチについては各単色の濃度が測定されて各パッチごとの濃度値が求められ、またグレーのパッチについては測色が行なわれて各パッチごとのＬ*ａ*ｂ*の色度値が求められる。
【００５６】
次に、図１０のステップ（ｃ３）において、先ず上記のようにして求めた測定データ（濃度データおよび測色データ）が図６あるいは図７に示す階調補正曲線評価結果表示装置５００，６００に入力される。
【００５７】
これらの測定データの、階調補正曲線評価結果表示装置５００，６００への入力は、例えば、オペレータが図２に示すパーソナルコンピュータ２０のキーボード２２からそのデータをキー入力することにより行なわれる。あるいは、その測定に用いた測色計が測定データをそのまま信号として出力する機能を有するものであるときは、その測色計と図２に示すパーソナルコンピュータ２０とを信号ケーブルでつないで、測定データをそのままパーソナルコンピュータ２０（すなわち図６，図７に示す階調補正曲線評価結果表示装置５００，６００）に入力してもよい。
【００５８】
次に、Ｃ，Ｍ，Ｙの単色についてマレイ・デービスの式
【００５９】
【数１】
0004146057.tif 000002
【００６０】
但し、ＤRは網％に変換しようとしている実測濃度値
ＤVはベタの濃度値
を表わす。
を用いて、各濃度値が各網％値に変換される。ここでは、この網％値を代表的にＸで表わす。また、グレーパッチについての測色により得られたＬ*ａ*ｂ*の色度値は代表的にＹで表わす。
【００６１】
一方、図１０のステップ（ｃ４）では、あらかじめ階調補正標準曲線に対応する網％値の目標値（これを代表的にＸ０と表記する）および色度値の目標値（これを代表的にＹ０と表記する）が以下の評価値の算出のために準備される。
【００６２】
ここで階調補正標準曲線について説明しておく。
【００６３】
図１に示すカラープリンタ３０は、同一機種内であっても１台１台特性が微妙に異なり、したがって同一階調の画像をプリント出力する場合であっても１台１台についてそれぞれ微妙に異なる階調補正曲線が必要となるが、ここでは、１台１台の機差は無視し、カラープリンタ３０と同一機種の標準的な特性の１台についての階調補正曲線があらかじめ用意されており、そのあらかじめ用意された階調補正曲線を階調補正標準曲線と称する。
【００６４】
また、この階調補正標準曲線を用いて階調補正を行なった後の、カラーチャートを表わすデータを、その標準的な特性のカラープリンタに送ってそのカラープリンタで図１１に示すようなカラーチャートを出力し、そのカラーチャートを誤差のない測色計で測定した場合の濃度値を前述（１）式に従って変換して得た網％値、およびそのカラーチャートをその測色計で測定して得た色度値が、それぞれ網％値の目標値、および色度値の目標値である。これら目標値としての網％値および色度値は相互に独立したものではなく、カラープリンタのプロファイルによって相互に変換可能な値である。ここで、カラープリンタのプロファイルとは、そのカラープリンタに入力されるＣＭＹの各単色のデータ値（網％値）と、そのカラープリンタでそのデータに基づいて得られる画像上の色（色度値）との対応関係をいう。
【００６５】
図６，図７に示す各階調補正曲線評価結果表示装置５００，６００の各評価結果算出部５２０，６２０のメモリ５２１，６２１には、この階調補正標準曲線、網％値の目標値と色度値の目標値、およびカラープリンタのプロファイルが記憶されている。
【００６６】
図１０のステップ（ｃ５）では、ステップ（ｃ３）で得られた網％値Ｘ，色度値Ｙと、ステップ（ｃ４）で得られた網％値の目標値Ｘ０，色度値の目標値Ｙ０との間の各偏差ΔＸ＝Ｘ−Ｘ０，ΔＹ＝Ｙ−Ｙ０が求められる。
【００６７】
これら図１０のステップ（ｃ３），（ｃ４），（ｃ５）は、図８に示すフローチャートの評価結果算出過程（ステップ（ａ３））に相当し、図６の階調補正曲線評価結果表示装置５００の評価結果算出部５２０がその処理を担っている。
【００６８】
図１０のステップ（ｃ６）は、図９に示すフローチャートの重み付け指定過程（ステップ（ｂ３））に相当し、その処理は、図７に示す階調補正曲線評価結果表示装置６００の重み指定部６４０が担っている。
【００６９】
この重み指定部６４０は、オペレータによるキーボード２３あるいはマウス２４（図２参照）の操作に応じて、以下に説明する重み付け平均の重みｒ１，ｒ２を指定するものである。
【００７０】
図１０のステップ（ｃ７）では、ステップ（ｃ５）で求められる各偏差ΔＸ，ΔＹの各最大値ΔＸｍａｘ，ΔＹｍａｘが求められ、それらの最大値ΔＸｍａｘ，ΔＹｍａｘの間で重み付け平均、すなわち
ΔＺ＝（ｒ１・ΔＸｍａｘ＋ｒ２・ΔＹｍａｘ）／（ｒ１＋ｒ２）……（２）
が求められる。
【００７１】
ここで、ステップ（ｃ７）では、各最大値ΔＸｍａｘ，ΔＹｍａｘの重み付け平均が求められる旨説明したが、ΔＸｍａｘは網％値、ΔＹｍａｘは色度値を表わしており、したがってステップ（ｃ７）では、これらのうちの一方を他方に換算した後に重み付け平均が行なわれる。
【００７２】
この一方から他方への変換（色度値とＣＭＹ値との間の変換）は、カラープリンタのプロファイルに基づいて行なわれる。
【００７３】
図１０のステップ（ｃ３），（ｃ４），（ｃ５），（ｃ７）は、図９のフローチャートの評価結果算出過程（ステップ（ｂ４））に相当し、その処理は、図７に示す評価結果算出部６２０がその役割を担っている。
【００７４】
図１０のステップ（ｃ８）では、ステップ（ｃ５）で算出された評価値ΔＸ，ΔＹ、あるいは、ステップ（ｃ７）で算出された代表的評価値ΔＺが、図２に示すコンピュータ２０の画像表示装置２２の表示画面２２ａに表示される。
【００７５】
この図１０のステップ（ｃ８）のうち、評価値ΔＸ，ΔＹの表示は、図８のフローチャートの評価結果表示過程（ステップ（ａ４））に相当し、その表示処理は、図６の階調補正曲線評価結果表示装置５００の評価結果表示部５３０が担っている。また、図１０のステップ（ｃ８）のうち、代表評価値ΔＺの表示は、図９のフローチャートの評価結果表示過程（ステップ（ｂ５））に相当し、その表示処理は、図７の階調補正曲線評価結果表示装置の評価結果表示部６３０が担っている。
【００７６】
図１２は、操作画面の一例を示す図である。この操作画面に、図１０を参照して説明した代表評価値ΔＺが表示される。
【００７７】
キーボード２３あるいはマウス２４により所定の操作を行なうと、図２に示す画像表示装置２２の表示画面２２ａ上に、図１２に示す操作画面７００が表示される。
【００７８】
そこで、先ず、マウス２４を操作して、この操作画面７００上のスクリーニング（Ｓｃｒｅｅｎｉｎｇ）の欄７１０のレファレンス（Ｒｅｆｅｒｅｎｃｅ）ボタン７１１を押すと、画像表示装置２２の表示画面２２ａ上に、図示しない画像出力条件指定画面が現われ、この画像出力条件指定画面上で、マウス操作により、カラープリンタ３０の解像度（Ｒｅｓｏｌｕｔｉｏｎ）、単位長さあたりの線数（Ｒｕｌｉｎｇ）、網点の形状（Ｄｏｔ  ｓｈａｐｅ）、網の角度（Ａｎｇｌｅ）等からなる画像出力条件が選択される。図１２の表示画面４００上のスクリーニング（Ｓｃｒｅｅｎｉｎｇ）７１０の欄には、このようにして選択された画像出力条件が表示される。
【００７９】
また、図１２の操作画面４００上の出力媒体（Ｏｕｔｐｕｔ  Ｍｅｄｉａ）の欄７２０では、画像が出力される用紙の種類とその用紙に画像を記録するためのインクの種類との組合せが選択される。これら用紙の種類およびインクの種類も画像出力条件の一部を構成する。
【００８０】
図１２の左側の、色／グレー（Ｃｏｌｏｒ／Ｇｒａｙ）の欄７３０のうちのＣＭＹＫの欄７３１およびＬ*ａ*ｂ*の欄７３２には、初期段階では、上記のようにして指定された画像出力条件に対応する階調補正標準曲線を表わす、Ｃ，Ｍ，Ｙ，Ｋ各単色の２１ステップの濃度値とＬ*ａ*ｂ*の１３ステップの色度値が表示される。
【００８１】
ここで、マウス操作により図１２に示す操作画面７００上のプリントチャート（Ｐｒｉｎｔ  Ｃｈａｒｔ）のボタン７４１を押すと、パーソナルコンピュータ２０の内部でＣ，Ｍ，Ｙ，Ｋの各色に対し２１段階（ステップ１〜ステップ２１）の濃度パッチと、グレー（無彩色）についての１３段階（ステップ１〜ステップ１３）の濃度パッチからなるカラーチャートを表わす画像データが作成されてカラープリンタ３０に送られ、カラープリンタ３０では、その画像データに基づいてカラーチャート（図１１参照）が出力される。これは、図１０のステップ（ｃ１）に相当する。
【００８２】
出力されたカラーチャートを構成する各パッチの濃度あるいは色を測定し、その測定データをパーソナルコンピュータ２０に入力すると、図１２のＣＭＹＫの欄７３１およびＬ*ａ*ｂ*の欄７３２には、その入力された測定データが表示される。
【００８３】
ここでは、このようにして入力された測定データに基づいてあらかじめ記憶されていた階調補正標準曲線が補正されて、そのカラープリンタ３０に適合した階調補正曲線が作成される。
【００８４】
この階調補正標準曲線を補正するについては、ＣＭＹＫのデータのみでも可能であるが、ここでは、一層の高精度化を図るためにＣＭＹＫのデータにＬ*ａ*ｂ*のデータを加味して補正を行なっている。このＣＭＹＫデータにＬ*ａ*ｂ*のデータをどの程度加味するかは、グレー調整強度（Ｇｒａｙ  Ａｄｊｕｓｔｍｅｎｔ  Ｉｎｔｅｎｓｉｔｙ）の欄７３０に０％〜１００％の範囲内の数値を入力することで調整される。この０％〜１００％数値は、図７に示す重み指定部６４０で指定される‘重み’である。
【００８５】
その後、マウス操作により格納（Ｓａｖｅ）のボタン７４３を押すと、入力されたデータに基づく階調補正標準曲線の補正により得られた、カラープリンタ３０に適合した階調補正曲線が、スクリーニング（Ｓｃｒｅｅｎｉｎｇ）の欄７１０および出力媒体（Ｏｕｔｐｕｔ  Ｍｅｄｉａ）の欄７２０で指定された画像出力条件に対応して格納される。
【００８６】
また、確認（Ｖｅｒｉｆｉｃａｔｉｏｎ）ボタン７４２を押すと、図１３に示す評価値表示画面が表示される。図１３については後述する。
【００８７】
また偏差（ｄｅｖｉａｔｉｏｎ）ボタン７４３をクリックすると、その横の欄に、図１０を参照して説明した代表評価値ΔＺが表示される。この値から、今回の測定が誤りのない測定であったか否かを判断することができる。
【００８８】
また、キャンセル（Ｃａｎｃｅｌ）ボタン７４４は、この操作画面７００上で入力あるいは変更したデータを保存せずにこの操作画面を閉じるためのボタンであり、クローズ（Ｃｌｏｓｅ）ボタン７４５は、図１２の画面を開いた後未だ何も画面上の変更を行なっていないときにこの画面を閉じるためのボタンであり、リストア（Ｒｅｓｔｏｒｅ）ボタン７４６は、この図１２の画面を開いたまま、この図１２の画面を開いてから行なった操作をキャンセルするためのボタンであり、リセット（Ｒｅｓｅｔ）ボタン７４７は、スクリーニング（Ｓｃｒｅｅｎｉｎｇ）の欄７１０および出力媒体（Ｏｕｔｐｕｔ  Ｍｅｄｉａ）の欄７２０で指定される画像出力条件における階調補正曲線を、その画像出力条件に関し、あらかじめ記憶された階調補正標準曲線のままの状態に戻すボタンである。
【００８９】
図１３は、評価値表示画面の一例を示す図である。
【００９０】
この図１３の評価値表示画面８００は、上述したように図１２の画面上の確認（Ｖｅｒｉｆｉｃａｔｉｏｎ）ボタン７４２を押すと表示される。
【００９１】
この図１３の評価値表示画面８００は、ＣＭＹＫの表示欄８１０と、グレー（Ｇｒａｙ）の表示欄８２０とに分かれている。ＣＭＹＫの表示欄８１０にはグラフの表示欄８１１と数値の表示欄８１２があり、グラフの表示欄８１１には、Ｃ，Ｍ，Ｙ，Ｋそれぞれの階調補正標準曲線が斜めの直線（破線）として描かれ、さらに、カラーチャートの各ステップ１〜２１（図１１参照）の各偏差ΔＸ＝Ｘ−Ｘ０（図１０参照）を持った曲線（実線）が描かれている。また、数値の表示欄８１２には
Ｃ，Ｍ，Ｙ，Ｋの各単色のカラーチャートのステップ２，６，１１，１６，２０（図１１参照）についての各偏差ΔＸ＝Ｘ−Ｘ０が数値で表示されている。これらの曲線や数値を確認することにより、Ｃ，Ｍ，Ｙ，Ｋの各単色の濃度（すなわち網％）について階調補正曲線の精度を確認することができる。
【００９２】
またこの図１３の評価値表示画面８００のグレー（Ｇｒａｙ）の表示欄８２０には、図１１に示す１３ステップのグレーパッチのうちのハイライト（ＨｉｇｈＬｉｇｈｔ）のパッチ（ステップ１０）と、中間的な濃度のパッチ（ステップ７）と、シャドウ（Ｓｈａｄｏｗ）のパッチ（ステップ４）について、測定された色度値Ｙの、色度値の目標値Ｙ０からの偏差ΔＹ（図１０参照）が表示されている。具体的には、ここでは、ａ*の偏差と、ｂ*の偏差と、測定された色度値Ｙと色度値の目標値との色差ΔＥが表示されている。
【００９３】
このグレー（Ｇｒａｙ）の表示欄８２０の数値を確認することにより、色度値について階調補正曲線の精度を確認することができる。
【００９４】
マウス操作によりクローズ（Ｃｌｏｓｅ）ボタン８０１を押すと、この図１３の評価値表示画面が消え、図１２の操作画面に戻る。
【００９５】
【発明の効果】
以上、説明したように、本発明による表示により、階調補正曲線の評価が容易となる。
【図面の簡単な説明】
【図１】本発明の一実施形態が適用された画像入力−色変換−画像出力システムの全体構成図である。
【図２】図１に１つのブロックで示すパーソナルコンピュータの外観斜視図である。
【図３】パーソナルコンピュータのハードウェア構成図である。
【図４】本発明の階調補正曲線評価結果表示プログラム記憶媒体の第１実施形態を示した図である。
【図５】本発明の階調補正曲線評価結果表示プログラム記憶媒体の第２実施形態を示した図である。
【図６】本発明の階調補正曲線評価結果表示装置の第１実施形態の機能ブロック図である。
【図７】本発明の階調補正曲線評価結果表示装置の第２実施形態の機能ブロック図である。
【図８】階調補正曲線評価結果表示方法の第１実施形態を示すフローチャートである。
【図９】階調補正曲線評価結果表示方法の第２実施形態を示すフローチャートである。
【図１０】図８，図９に示す各フローチャートを一緒にして模式的に示したフローチャートである。
【図１１】カラーチャートの一例を示す図である。
【図１２】操作画面の一例を示す図である。
【図１３】評価値表示画面の一例を示す図である。
【符号の説明】
１０    カラースキャナ
１１    原稿画像
２０    パーソナルコンピュータ
２１    本体装置
２２    画像表示装置
２２ａ    表示画面
２３    キーボード
２４    マウス
２５    バス
３０    カラープリンタ
３１    プリント画像
１００    フロッピィディスク
１１０    ＣＤ−ＲＯＭ
２１１    ＣＰＵ
２１２    主メモリ
２１３    ハードディスク装置
２１４    ＦＤドライブ
２１５    ＣＤ−ＲＯＭドライブ
２１６    入力インタフェース
２１７    出力インタフェース
３００，４００    階調補正曲線評価結果表示プログラム記憶媒体
３１０，４１０    階調補正曲線評価結果表示プログラム
３１１，４１１    パッチデータ生成部
３１２，４１２    評価結果算出部
３１３，４１３    評価結果表示部
４１４    重み指定部
５００，６００    階調補正曲線評価結果表示装置
５１０，６１０    パッチデータ生成部
５２０，６２０    評価結果算出部
５２１，６２１    メモリ
５３０，６３０    評価結果表示部
６４０    重み指定部
７００    操作画面
７４２    確認（Ｖｅｒｉｆｉｃａｔｉｏｎ）ボタン
７４６    リストア（Ｒｅｓｔｏｒｅ）
８００    評価値表示画面
８１０    ＣＭＹＫの表示欄
８１１    グラフの表示欄
８１２    数値の表示欄
８２０    グレー（Ｇｒａｙ）の表示欄
【図１】
0004146057.tif 000003
【図２】
0004146057.tif 000004
【図３】
0004146057.tif 000005
【図４】
0004146057.tif 000006
【図５】
0004146057.tif 000007
【図６】
0004146057.tif 000008
【図７】
0004146057.tif 000009
【図８】
0004146057.tif 000010
【図９】
0004146057.tif 000011
【図１０】
0004146057.tif 000012
【図１１】
0004146057.tif 000013
【図１２】
0004146057.tif 000014
【図１３】
0004146057.tif 000015